(57)【要約】  【課題】フリーアドレスタイプのデスクシステム等におけるレイアウトの一つとして一部の天板を取り除いた場合に、デスク全体の設置状態や使用状態を外観とともに適切に保つ上で有用となる新たな構造を備えたデスクシステムを実現する。  【解決手段】天板３の一部を取り除いて開放空間ＯＰを形成した際に、天板３に代替する重量の少なくとも一部を補償するためのウェイト付加部としてのカバー脚Ｃを、開放空間ＯＰの近傍位置に設けることとした。  【選択図】図５
2010004937.tif 000002
【特許請求の範囲】
【請求項１】
反使用縁側に接地し使用縁側に水平部を延び出させた中間脚と、反使用縁側から使用縁側にかけて少なくとも２箇所に接地する端部脚と、隣接する前記中間脚同士又は前記中間脚と前記端部脚との間を連結する連結部材と、隣接する前記中間脚の水平部間又は前記中間脚と前記端部脚との水平部間にまたがって着脱可能に載せ置かれる天板とを具備し、水平部を利用して複数の天板を幅方向に連ねるとともに奥行き方向にも対面使用可能に配置し、対面位置にある一対の天板の荷重が中間脚を介して連結部材において一体的に支持されるように構成されるデスクシステムにおいて、
前記天板の一部を取り除いて開放空間を形成した際に天板に代替する重量の少なくとも一部を補償するウェイト付加部を、当該開放空間の近傍位置に設けたことを特徴とするデスクシステム。
【請求項２】
ウェイト付加部が、開放空間に隣接する中間脚に後付けで取り付けられる補助脚である請求項１記載のデスクシステム。
【請求項３】
補助脚は更に、内部にバランスウェイトを装填する中空部と、この中空部を開閉する開閉部とを備えている請求項２記載のデスクシステム。
【請求項４】
ウェイト付加部が、天板の内部にバランスウェイトを装填するための中空部と、この中空部を開閉する開閉部とを備えている請求項１記載のデスクシステム。
【請求項５】
連結部材が背板状のものであって、ウェイト付加部が、連結部材の内部にバランスウェイトを装填するための中空部と、この中空部を開閉する開閉部とを備えている請求項１記載のデスクシステム。
【発明の詳細な説明】
【技術分野】
【０００１】
本発明は、フリーアドレス制を採用するオフィス等に好適に適用されるデスクシステムに関するものである。
【背景技術】
【０００２】
近時におけるオフィスの形態は、ワーカーが自席を有さず、大型デスクの必要な箇所に適宜着席して執務を行う、いわゆるフリーアドレス制が採用されることが多い。この場合、足元が中間脚と干渉せず、ワゴン等も天板下の必要な箇所に挿入可能とするために、中間脚を反使用縁側のみで接地させて使用縁側の下方空間を開放し、端部には前後方向の接地巾を確保した端部脚を用いて、それらの中間脚および端部脚の水平部に天板を支持させ、デスクの自立性と下肢空間の連続性とを確保するようにしたものが知られている。また、奥行き方向に沿って水平部に一対の天板を対面使用可能に配置した大型のデスクシステムも比較的多く採用されており、この場合の天板荷重は、中間脚を介して左右の脚間を連結する連結部材に一体的に支持される構造になっているのが通例である。
【０００３】
このようなデスクシステムの機能として、一部の天板を取り除いた位置に開放空間を形成し、その開放空間をコピーコーナー等として利用できる態様を可能にしたものも一部に考えられている。
【特許文献１】特開平０６−２６９３２１号公報
【発明の開示】
【発明が解決しようとする課題】
【０００４】
ところが、上述したような下肢空間の連続するフリーアドレスタイプのデスクシステムでは、対面方向の一対の天板が中間脚を介して連結部材上でバランスしているため、一方の天板を取り除くと、そのバランスが崩れる。
【０００５】
そして、中間脚は使用縁側に接地していないため、開放空間の対面位置にある天板の使用縁側が沈み込むとともに、開放空間に隣接する中間脚の先端がその部位に載せ置かれる天板とともに浮き上がるといった現象が生じ易くなり、デスク全体の設置状態や使用状態が不完全になるとともに、天板の水平度や面一度、連続性も低下するなど、外観の毀損も生じ易くなる。
【０００６】
本発明は、このような課題に着目してなされたものであって、フリーアドレスタイプのデスクシステム等におけるレイアウトの一つとして一部の天板を取り除いた場合に、デスク全体の設置状態や使用状態を外観とともに適切に保つ上で有用となる新たな構造を実現することを目的としている。
【課題を解決するための手段】
【０００７】
本発明は、かかる目的を達成するために、次のような手段を講じたものである。
【０００８】
すなわち、本発明のデスクシステムは、反使用縁側に接地し使用縁側に水平部を延び出させた中間脚と、反使用縁側から使用縁側にかけて少なくとも２箇所に接地する端部脚と、隣接する前記中間脚同士又は前記中間脚と前記端部脚との間を連結する連結部材と、隣接する前記中間脚の水平部間又は前記中間脚と前記端部脚との水平部間にまたがって着脱可能に載せ置かれる天板とを具備し、水平部を利用して複数の天板を幅方向に連ねるとともに奥行き方向にも対面使用可能に配置し、対面位置にある一対の天板の荷重が中間脚を介して連結部材において一体的に支持されるように構成されるものである。
【０００９】
そして、前記天板の一部を取り除いて開放空間を形成した際に天板に代替する重量の少なくとも一部を補償するウェイト付加部を、当該開放空間の近傍位置に設けることとしたことを特徴とする。
【００１０】
このように構成すると、対面位置にある一対の天板の重心位置が一方の天板を取り除くことによって移動することを、その開放空間近傍に設けたウェイト付加部を通じて抑制することができるので、開放空間を形成してもウェイトバランスが大きく崩れることを防止して、デスクシステムの設置状態および使用状態を適切に保つことができる。
【００１１】
ウェイト付加部の構成を天板の沈み込み対策としても同時に利用するためには、当該ウェイト付加部が、開放空間に隣接する中間脚に後付けで取り付けられる補助脚である態様が有効となる。
【００１２】
外観を損なうことなく、補助脚の重量を状況に応じて適切に増減するためには、補助脚が更に、内部にバランスウェイトを装填する中空部と、この中空部を開閉する開閉部とを備えていることが望ましい。
【００１３】
本発明の上記以外の好ましい実施の態様としては、以下のようなものが挙げられる。
【００１４】
ウェイト付加部が、天板の内部にバランスウェイトを装填するための中空部と、この中空部を開閉する開閉部とを備えている態様。
【００１５】
或いは、連結部材が背板状のものである場合には、ウェイト付加部が、連結部材の内部にバランスウェイトを装填するための中空部と、この中空部を開閉する開閉部とを備えている態様。
【発明の効果】
【００１６】
本発明は、以上説明した構成であるから、フリーアドレスタイプのように天板が着脱可能であって一対の天板が対面配置された状態で中間脚を介して連結部材に支持されるデスクシステムにおけるレイアウトの一つとして、一部の天板を取り除いた場合に、天板のウェイトバランスが崩れることを、天板を取り除いた位置に形成される開放空間の近傍位置にウェイト付加部を設けることによって抑制することができるので、デスク全体の適正な外観や設置状態・使用状態を確保しつつ、デスク本来のレイアウト変更機能を真に実効あらしめるようにした、実用性の高いデスクシステムを提供することが可能となる。
【発明を実施するための最良の形態】
【００１７】
以下、本発明の一実施形態を、図面を参照して説明する。
【００１８】
この実施形態のデスクシステムは、図１に示すように、端部脚１および中間脚２を具備し、これらの脚１、２に幅方向に沿って複数の天板３を支持させるとともに、奥行き方向にも対面使用可能な状態で各一対に天板３を配置して大型のデスクを構成する。
【００１９】
中間脚２は、天板３の反使用縁３ｂ側に接地する起立部である脚支柱２１と、この脚支柱２１の上端部より天板３の使用縁３ａ側に延び出る水平部たるステー２２とを具備してなるもので、この実施形態の中間脚２は逆Ｌ字状をなしている。ここに、使用縁３ａ側とは、天板３に着座した使用者に近い側の縁部をいい、反使用縁３ｂ側とは、天板３に着座した使用者から遠い側の縁部をいう。天板３，３が対面配置される際には、デスクシステム全体の奥行き方向両縁が使用縁３ａとなり、中央に反使用縁３ｂ、３ｂが向き合う形となる。
【００２０】
ステー２２には、図２及び図３に示すように、ステー２２の上面に設定した天板支持面２２ａより上方に突出して後向きに屈曲する前後の可動爪２２ｂ，２２ｃと、両可動爪２２ｂ，２２ｃの間から上方に突出する舌片状のアンカー部２２ｄとが設けてある。可動爪２２ｂ，２２ｃは、ステー２２内に構成した駆動機構２３によってステー２２の奥行き方向に一体的に作動可能とされ、図２に示す天板３の側縁３ｃ近傍の下面に設けたフック孔３１、３２に同時に係り合う関係をなす。アンカー部２２ｄは天板３の対応位置に設けたスリット３３に差し込まれ、天板３を奥行き方向に位置決めする。したがって、可動爪２２ｂ，２２ｃは、天板３を引きずることなく、奥行き方向及び厚み方向に天板３をステー２２に固定することができる。
【００２１】
中間脚２を構成する脚支柱２１にも、図２及び図３に示すように、後面２１ａから後方に突出して下向きに屈曲する上下の可動爪２１ｂ、２１ｃと、両可動爪２１ｂ、２１ｃの間から後方に突出する舌片状のアンカー部２１ｄと、上可動爪２１ｂの上方から後方に突出して上向きに屈曲するアンカー部２１ｅとが設けてある。可動爪２１ｂ、２１ｃは、脚支柱２１内に構成した駆動機構２５によって脚支柱２１の上下方向に一体的に作動可能とされ、図２に示す連結部材たる背板４の側縁４ｃ近傍の前面に設けたフック孔４１，４２に同時に係り合う関係をなす。アンカー部２１ｄ、２１ｅは背板４の対応位置に設けたスリット４３、４４に差し込まれ、背板４を上下方向に位置決めする。したがって、可動爪２１ｂ、２１ｃは、背板４を引きずることなく、上下方向及び厚み方向に背板４を脚支柱２１に固定することができる。
【００２２】
各可動爪２２ｂ，２２ｃ、２１ｂ、２１ｃおよびアンカー部２２ｄ、２１ｄ、２１ｅは、デスクの巾方向に各一対に設けられており、対応する天板３及び背板４のフック孔３１，３２，４１，４２及びスリット３３，４３，４４も各一対に設けられている。左右の天板３、３を共通の中間脚２で支持する際には、ステー２２の天板支持面２２ａの幅方向片半部の領域がそれぞれ左右の天板３の側縁３ｃを支持する。背板４についても同様である。対面位置にある中間脚２、２は、連結部材である共通の背板４に前後方向から背合わせに取り付けられる。
【００２３】
このように、中間脚２は左右の天板３，３と係り合い、また左右の背板４，４とも係り合うとともに、対面方向にも、一対の中間脚２，２がともに共通の背板４に背合わせに係り合うため、背板４、中間脚２および天板３は図１に示すように一体的に連結されて大型デスクを構成することとなる。
【００２４】
図１に示す端部脚１はパネル状のもので、具体的構造については後述するが、天板３及び背板４と着脱可能に係り合う構造を有し、図１等においては省略しているが反使用縁３ｂ側と使用縁３ａ側の２箇所において接地する。すなわち、このデスクは、端部脚１で自立性を確保した上で、天板３の下肢空間Ｓが中間脚２のステー２２の下方空間Ｔを介して幅方向に連続するため、着座者が中間脚２と干渉することなく任意の場所に着席することができ、ワゴン等も中間脚２と干渉することなく任意の位置に挿入することができる。
【００２５】
そして、天板３は端部脚１や中間脚２に対して着脱可能であり、端部脚１も背板４に対して着脱可能であるため、図１→図４に示すように、端部脚１とともに一部の天板３を取り除いた切欠状のレイアウトを実現することができる。
【００２６】
この場合、一部の中間脚２（２Ｖ）が新たに天板巾方向のエンドに位置し、その側方の天板３を取り除いた部位に開放空間ＯＰが形成されることとなるが、中間脚２（２Ｖ）は天板３の反使用縁３ｂ側において接地しているだけで、使用縁３ａ側の下方空間Ｔが開放されているため、天板３の下肢空間Ｓが開放空間ＯＰ側（図４における矢印Ｘ側）に表出して雑多な状態となり、デスクの外観の毀損につながるとともに、開放空間ＯＰも明確に区画されないために使い勝手も低下することとなる。また、中間脚２（２Ｖ）のステー２２に上載荷重Ｗ１が作用すると、中間脚２は天板３の反使用縁３ｂ側でのみ接地しているため、天板３の使用縁３ａ側が沈み込み易い不安定な状態となる。
【００２７】
さらに、天板３を取り除く前の図１の状態においては、対面方向の一対の天板３，３の荷重は中間脚２を介して連結部材である背板４上でバランスしていたところ、図４に示すように一方の天板３を取り除くと、そのバランスが崩れることになる。そして、中間脚２は使用縁３ａ側に接地していないため、開放空間ＯＰの対面位置にある天板３（３Ｕ）の使用縁３ａ側が同図中矢印Ｙ１に示すように沈み込み、これに伴って、開放空間ＯＰに隣接する中間脚２（２Ｖ）のステー２２の先端が隣接する天板３とともに同図中矢印Ｙ２で示すように浮き上がるといった現象が生じ易くなり、適正な設置・使用状態が損なわれるばかりか、天板の水平度や面一度、連続性も低下して見栄えの悪いものとなる。
【００２８】
そこで、本実施形態では、図４に示す中間脚２（２Ｖ）に対して、図５に示すように、目隠し機能や天板支持機能とともにウェイト付加部としての役割を果たす補助脚たるカバー脚Ｃを取り付け可能としている。このカバー脚Ｃは、図７に示すように、内パネル５と、外パネル６と、接地部７とから構成されている。
【００２９】
内パネル５は、図６等に示すように、面板５１の四辺に前後の縦枠５２、５３、上枠５４および下枠５５を形成したもので、上枠５４の上面には上方に突出して後向きに屈曲する固定爪５４ａが前後２箇所に設けてある。これらの固定爪５４ａは、前記ステー２２の下面対応位置に設けたフック孔２２ｅに下方から挿入されて後方にスライドすることによって奥行き方向および上下方向に係り合う関係にある。固定爪５４ａは、内パネル５の上縁をステー２２に固定する第１の係り合い部として機能しており、ステー２２のフック孔２２ｅは幅方向に対をなして設けられている。また、内パネル５の縦枠５２の外向面および中間脚２を構成する脚支柱２１の外面には、図７に示す内パネル５の取付状態においてそれぞれ対をなすフック孔５ｘ、２ｘを構成しており、当該内パネル５の縦枠５３の後面５３ａは脚支柱２１の前面２１ａに密接するように配置される。
【００３０】
一方、外パネル６は、取付状態で側板として機能する面板６１の少なくとも２辺に頂板６２及び前板６３を備えるとともに、面板６１の内面における前後両縁近傍に縦補強部６４，６５を設けたもので、これらの縦補強部６４、６５には、前記組をなすフック孔５ｘ、２ｘの対応部位に下向き爪６ｘが切り起こして設けてある。頂板６２はアングル状をなしており、外パネル６の装着時には、下向き爪６ｘをフック孔５ｘ、２ｘに挿入しつつ、この頂板６２を、天板３を取り除いた際に表出する前記ステー２２の片半部に可動爪２２ｂ、２２ｃやアンカー部２２ｄを乗り越えた位置に覆い被さるように押し下げることによって、外パネル６の扁平な内空に内パネル５及び中間脚２の一部を受容するようにしている。下向き爪６ｘは、内パネル５と脚支柱２２とを間接的に固定する第２の係り合い部として機能する。この結果、図７→図５に示すように、頂板６２の上面が天板３３の天板面にほぼ連続し、前板６３の前面の前後位置が天板３の使用縁３ａにほぼ合致し、面板６１が補強部６４，６５を介して内パネル５の縦枠５２や中間脚２の脚支柱２２の外面等にほぼ密着した状態で取り付けられて、新たな端部脚１Ａを構成するようにしている。外パネル６の前板６３は補強部６４，６５よりも面板６１からの突出量が大きく設定され、頂板６２がステー２２の片半部を塞ぐ際に前板６３が内パネル５の縦枠５２の前方を塞ぐ位置に配されるようにしている。
【００３１】
上記において、前記カバー脚Ｃを構成する内パネル５の面板５１には、図６に示すように上下にアングル状に突出する対向片５１ａ、５１ｂが設けてあり、これらの対向片５１ａ、５１ｂ間に所謂ケンドン方式で図６→図７に示すようにバランスウェイト８を装填可能としている。そして、その上から外パネル６を装着することによって、面板５１、６１間に扁平な中空部Ａを形成し、外パネル６がその中空部Ａを開閉する開閉部としての役割を果たすようになっている。バランスウェイト８は図６に示すように薄板状のものであり、前記中空部Ａ内に所定枚数を積層状態で装填することが可能とされている。
【００３２】
接地部７は、内パネル５の下枠５５における使用縁３ａ側にナット７１を介してアジャスタ７２を取り付けることによって構成され、内パネル５をステー２２の下面に固定爪５４ａを介してぶら下げるように取り付けた状態で、アジャスタ７２を調整することによって、内パネル５を床とステー２２の間に緊密に介在させることを可能としている。図１〜図４等には図示していないが、中間脚２の脚支柱２１の下端側にも、図７に示すようにアジャスタ２０が取り付けられている。
【００３３】
なお、この実施形態において、図１等に示す端部脚１は、中間脚２に内パネル５、外パネル６および接地部７からなるカバー脚Ｃを取り付けて構成される図５の新たな端部脚１Ａと同じ構造をなしている。したがって、このカバー脚Ｃを取り除けば図６に示すようにステー２２の天板支持面２２ａとともに中間脚２が表出した状態となり、その外側方に更に天板３の増連を行うことが可能となっている。
【００３４】
以上のように、本実施形態のデスクシステムは、反使用縁３ｂ側に接地し使用縁３ａ側に水平部であるステー２２を延び出させた中間脚２と、反使用縁３ｂ側から使用縁３ａ側にかけて２箇所に接地する端部脚１と、隣接する中間脚２，２同士又は中間脚２と端部脚１との間を連結する連結部材たる背板４と、隣接する中間脚２のステー２２，２２間又は中間脚２のステー２２と端部脚１に内包される中間脚のステー２２との間にまたがって着脱可能に載せ置かれる天板３とを具備し、ステー２２を利用して複数の天板３を幅方向に連ねるとともに奥行き方向にも対面使用可能に配置し、対面位置にある一対の天板３，３の荷重が中間脚２を介して連結部材である背板４において一体的に支持されるように構成されるものである。
【００３５】
そして、天板３の一部を取り除いて図４に示すように開放空間ＯＰを形成した際に、天板３に代替する重量の少なくとも一部を補償するためのウェイト付加部として、図５〜図７に示すカバー脚Ｃを、当該開放空間ＯＰの近傍位置に設けることとしている。
【００３６】
このため、天板３を取り除く前の状態においては、図９（ａ）に示すように対面方向の一対の天板３，３の荷重Ｗａが中間脚２を介して連結部材である背板４上でバランスし、その重心Ｍが背板４上に位置していたところ、同図（ｂ）に示すように一方の天板３を取り除くことによってそのバランスが崩れても、カバー脚Ｃを取り付けたことによる荷重Ｗｂによって、対面位置にある天板３の重心ｍとのバランスを図ることができる。このため、開放空間ＯＰを形成しても、ウェイトバランスが大きく崩れることにより中間脚２が天板３とともに傾くことを止して、デスクシステムの設置状態および使用状態を適切に保つことができる。そして、これにより天板３の水平度や面一度、連続性の低下も防止して、デスク全体の外観も有効に整えることが可能となる。
【００３７】
また、ウェイト付加部を上記のようなカバー脚構造とすることで、カバー脚Ｃそれ自体のウェイトを利用できるとともに、天板３に図４に示したような上載荷重Ｗ１が作用した場合の使用縁３ａ側の沈み込みを適切に防止する手段としても機能することになり、デスクの設置状態および使用状態をより安定させる上で寄与するものとなる。
【００３８】
そして、カバー脚Ｃは、内部にバランスウェイト８を装填する中空部Ａと、この中空部Ａを開閉する開閉部たる外パネル６とを備えているため、外観を損なうことなく、バランスウェイト８の簡単な着脱を通じて、カバー脚Ｃの重量を状況に応じて適切に増減することができる。
【００３９】
さらに、上記の態様では、複数の天板３を幅方向に連ねた図１の状態から、一部の天板３を端部脚１とともに取り除いて図４に示した開放空間ＯＰを形成する場合に、カバー脚Ｃを当該開放空間ＯＰに隣接する中間脚２（２Ｖ）に取り付けてこれを隠蔽するようにしたが、本実施形態のデスクシステムは、複数の天板３を幅方向に連ねた図１の状態から、一部の天板３を左右の天板３の間から中抜きして図８に示すような開放空間ＯＰ２を形成する場合に、カバー脚Ｃを当該開放空間ＯＰ２に隣接する両側の中間脚２（２Ｗ）に取り付けるようにしてもよい。このようにすれば、開放空間ＯＰ２の両側に位置する中間脚２（２Ｗ）に対して適切なウェイト補償を行うことができ、仮想のウェイトＷｘを天板３が位置していた開放空間ＯＰ２の中心に位置づけて、対向する天板３のウェイトＷａとのウェイトバランスを適正に行うことが可能となる。
【００４０】
なお、各部の具体的な構成は、上述した実施形態のみに限定されるものではない。
【００４１】
例えば、図４や図８において、開放空間ＯＰの側方に位置する天板３の下面３ｄ側に図１０に示すような中空部Ａ２を形成してバランスウェイト１０８を装填可能とし、その中空部Ａ２をカバー等の開閉部１０６により開閉可能として本発明のウェイト付加部Ｄを構成しても、開放空間ＯＰに隣接する中間脚２（２Ｖ，２Ｗ）の傾きを防止することができる。このウェイト付加部Ｄは、天板３の側縁３ｃ近傍、すなわち中間脚２に近い位置に構成しておくことが望ましい。
【００４２】
或いは、図４や図８において、開放空間ＯＰの奥に位置する連結部材たる背板４の前面４ｄ側に図１１に示すような中空部Ａ３を形成してバランスウェイト２０８を装填可能とし、その中空部Ａ３をカバー等の開閉部２０６により開閉可能として本発明のウェイト付加部Ｅとしても、上記実施形態と同様の作用効果が奏される。このウェイト付加部Ｅは、背板４の側縁４ｃ近傍、すなわち中間脚２に近い位置に構成してもよいが、背板４の中央より構成して対向位置にある天板３とのウェイトバランスを図ることも可能になる。
【００４３】
また、上記実施形態の中間脚２は、逆Ｌ字状をなし、背板４を介して奥行き方向に背合わせに連結されているが、天板３、３を一対に載せ置くようにしたＴ字状の形態をなすもの等であっても構わない。
【００４４】
さらにまた、例えば、対面使用可能に配置している一対の天板３，３の一方を取り除いて片側のみに天板３を幅方向に連続させるレイアウトを採用する場合には、中間脚２が反使用縁３ｂ側に接地しているのみであるため、天板全体が左右の端部脚１のみに支持された状態となり、幅方向の中央に近い位置ほど天板３の沈み込みが激しく、全体が撓んだ状態となり易い。このような場合に、天板３の下方において上記の内パネル５をステー２２の下方に配置すれば、中央よりに位置する天板３を適切に支持して、設置状態、使用状態の適正化を図るために利用することもできる。この場合、外パネルよりも若干高さ寸法の小さいパネルを前記内パネルに装着して中空部となる部位を閉止しておけばよい。
【００４５】
その他、本発明は、下肢空間が必ずしも連続しているとまでは言いがたい状況のデスクに対しても、天板を取り除くことによって脚が傾く可能性があるものであれば、適用して上記と同様の作用効果を奏することができる。
【００４６】
その他の構成も、本発明の趣旨を逸脱しない範囲で種々変形が可能である。
【図面の簡単な説明】
【００４７】
【図１】本発明の一実施形態に係るデスクシステムにより構成されるデスクの斜視図。
【図２】図１に対応した部分分解斜視図。
【図３】同デスクを構成する中間脚の構造を概略的に示す側断面図。
【図４】同デスクを天板の一部を取り除いたレイアウト状態で示す斜視図。
【図５】図４のデスクにカバー脚を取り付けた状態を示す斜視図。
【図６】カバー脚の構造及び取付手順を示す斜視図。
【図７】カバー脚の構造及び取付手順を示す斜視図。
【図８】同デスクの他のレイアウトを示す斜視図。
【図９】同実施形態におけるウェイトバランスの作用説明図。
【図１０】本発明の変形例を示す図。
【図１１】本発明の他の変形例を示す図。
【符号の説明】
【００４８】
２…中間脚
３…天板
３ａ…使用縁
３ｂ…反使用縁
４…連結部材（背板）
６…開閉部（外パネル）
８，１０８，２０８…バランスウェイト
２２…水平部（ステー）
１０６，２０６…開閉部
Ａ、Ａ２，Ａ３…中空部
Ｃ…ウェイト付加部（補助脚）
Ｄ、Ｅ…ウェイト付加部
ＯＰ…開放空間
【図１】
2010004937.tif 000003
【図２】
2010004937.tif 000004
【図３】
2010004937.tif 000005
【図４】
2010004937.tif 000006
【図５】
2010004937.tif 000007
【図６】
2010004937.tif 000008
【図７】
2010004937.tif 000009
【図８】
2010004937.tif 000010
【図９】
2010004937.tif 000011
【図１０】
2010004937.tif 000012
【図１１】
2010004937.tif 000013